(57)【要約】【課題】識別データが入力されるか否かにかかわらず、入力されるコンテンツに応じて適した設定状態にすることが可能な表示装置を提供する。【解決手段】液晶テレビは、表示部と、映像信号から静止画像を抽出する映像処理部と、映像処理部により抽出された静止画像を記憶するとともに、静止画像に関連付けられた設定項目の設定状態を記憶するＲＯＭと、ＣＰＵとを備える。ＣＰＵは、映像信号の画像と静止画像とが一致するか否かを判断し（ステップＳ１４）、映像信号の画像と静止画像とが一致すると判断した場合に（ステップＳ１４：Yes）、設定項目の設定状態を、一致すると判断された静止画像に関連付けられた設定項目の設定状態に変更する（ステップＳ１６）。【選択図】図７
2011013557.tif 000002
【特許請求の範囲】
【請求項１】
映像信号が入力される入力部と、
前記入力部に入力される映像信号に基づいて映像を表示する表示部と、を備えた表示装置において、
前記入力部に入力される映像信号から静止画像を抽出する抽出部と、
前記抽出部により抽出された静止画像を記憶するとともに、前記静止画像に関連付けられた設定項目の設定状態を記憶する記憶部と、
前記入力部に入力される映像信号の画像と、前記記憶部に記憶された静止画像とが一致するか否かを判断する判断部と、
前記判断部により、前記入力部に入力される映像信号の画像と、前記記憶部に記憶された静止画像とが一致すると判断された場合に、設定項目の設定状態を、一致すると判断された静止画像に関連付けられた設定項目の設定状態に変更する変更部と、をさらに備えることを特徴とする表示装置。
【請求項２】
請求項１に記載の表示装置において、
前記判断部は、前記入力部への映像信号の入力が開始されてから所定の期間だけ、前記入力部に入力される映像信号の画像と、前記記憶部に記憶された静止画像とが一致するか否かを判断する、ことを特徴とする表示装置。
【請求項３】
請求項１または請求項２に記載の表示装置において、
利用者からの操作指令を受け付ける受付部をさらに備え、
前記抽出部は、前記受付部により静止画像の抽出指令を受け付けた場合に、前記入力部に入力される映像信号から静止画像を抽出する、ことを特徴とする表示装置。
【請求項４】
請求項３に記載の表示装置において、
前記記憶部は、前記受付部により静止画像の抽出指令を受け付けた場合において、前記入力部への映像信号の入力が開始されてから所定の期間が経過した場合に、前記静止画像に関連付けられた設定項目の設定状態を記憶する、ことを特徴とする表示装置。
【発明の詳細な説明】
【技術分野】
【０００１】
本発明は、設定項目の調整機能を備えた表示装置に関する。
【背景技術】
【０００２】
従来、設定項目の調整機能を備えた表示装置が知られている（たとえば、特許文献１および２参照）。
【０００３】
上記特許文献１には、コンテンツを識別するための識別データと、映像調整データとが対応付けられて予め格納されているデータ格納部を備えた映像提示装置が開示されている。この映像提示装置には、コンテンツの映像データとともに、識別データが入力される。そして、映像提示装置は、入力された識別データと一致する識別データがデータ格納部に存在するか否かを判断する。そして、映像提示装置は、入力された識別データと一致する識別データがデータ格納部に存在する場合に、識別データと対応付けられた映像調整データに基づいて、コンテンツを表示する際の画質を調整する。これにより、上記特許文献１の映像提示装置では、入力されるコンテンツに応じて適した画質に調整される。
【０００４】
上記特許文献２には、原画像データ（コンテンツ）と、原画像データに対応付けられた最適順序情報とが記録された記録装置を備えた映像再生装置が開示されている。なお、最適順序情報とは、複数の画質に関する設定項目の調整がされる際の調整順序に関する情報である。この映像再生装置では、原画像データが再生される場合に、原画像データに対応付けられた最適順序情報に基づいて画質の調整がされる。
【０００５】
また、従来では、映像が表示されるまでの間に画像が表示される表示装置も知られている（たとえば、特許文献３〜５参照）。
【０００６】
上記特許文献３には、選択されたチャンネルの映像が表示される前に、選択されたチャンネルのロゴマークが表示されるテレビジョンが開示されている。
【０００７】
上記特許文献４および５には、電源がオン状態にされてから映像が表示されるまでの間に、所定の画像が表示される表示装置が開示されている。
【先行技術文献】
【特許文献】
【０００８】
【特許文献１】特開２００６−３４９９３４号公報
【特許文献２】特開２００８−３０４９０５号公報
【特許文献３】特開２００８−２９４８８５号公報
【特許文献４】特開２００８−２６３５３６号公報
【特許文献５】特開２００３−２０２８５１号公報
【発明の概要】
【発明が解決しようとする課題】
【０００９】
しかしながら、上記特許文献１の映像提示装置では、コンテンツの映像データのみが入力され、識別データが入力されない場合には、入力されるコンテンツを識別することができず、適切な映像調整データを選択することができないので、入力されるコンテンツに応じて適した画質に調整することができないという問題点がある。
【００１０】
なお、上記特許文献２の映像再生装置は、原画像データが記録された記録装置を備えており、原画像データが再生される際に、原画像データが外部から入力される構成ではないので、入力されるコンテンツに応じて適した画質に調整するという本発明の課題（問題点）が存在しない。
【００１１】
また、上記特許文献３〜５には、設定項目の調整に関する構成については、開示も示唆もされていない。
【００１２】
本発明の課題とするところは、識別データが入力されるか否かにかかわらず、入力されるコンテンツに応じて適した設定状態にすることが可能な表示装置を提供することである。
【課題を解決するための手段】
【００１３】
本発明の表示装置は、映像信号が入力される入力部と、入力部に入力される映像信号に基づいて映像を表示する表示部と、を備えた表示装置において、入力部に入力される映像信号から静止画像を抽出する抽出部と、抽出部により抽出された静止画像を記憶するとともに、静止画像に関連付けられた設定項目の設定状態を記憶する記憶部と、入力部に入力される映像信号の画像と、記憶部に記憶された静止画像とが一致するか否かを判断する判断部と、判断部により、入力部に入力される映像信号の画像と、記憶部に記憶された静止画像とが一致すると判断された場合に、設定項目の設定状態を、一致すると判断された静止画像に関連付けられた設定項目の設定状態に変更する変更部と、をさらに備える。
【００１４】
このように構成することによって、コンテンツの映像信号が入力部に入力された場合に、抽出部により、入力されるコンテンツを識別するための静止画像が映像信号から抽出される。そして、抽出された静止画像が記憶部に記録されるとともに、その静止画像に関連付けられた設定状態が記憶部に記録される。そして、同じコンテンツの映像信号が次回入力部に入力された場合において、判断部により、入力されるコンテンツの映像信号の画像と、記憶部に記憶された静止画像とが一致すると判断された場合に、変更部により静止画像に関連付けられた設定状態に変更されるので、入力されるコンテンツに応じて適した設定状態にすることができる。すなわち、静止画像に基づいて入力されるコンテンツを識別することができるので、識別データが入力されるか否かにかかわらず、入力されるコンテンツに応じて適した設定状態にすることができる。
【００１５】
上記表示装置において、判断部は、入力部への映像信号の入力が開始されてから所定の期間だけ、入力部に入力される映像信号の画像と、記憶部に記憶された静止画像とが一致するか否かを判断するようにしてもよい。このように構成すれば、コンテンツの入力が停止されるまで、入力部に入力される映像信号の画像と、記憶部に記憶された静止画像とが一致するか否かを判断する場合に比べて、判断部の処理量を減らすことができる。
【００１６】
上記表示装置において、利用者からの操作指令を受け付ける受付部をさらに備え、抽出部は、受付部により静止画像の抽出指令を受け付けた場合に、入力部に入力される映像信号から静止画像を抽出するようにしてもよい。このように構成すれば、コンテンツを識別するための静止画像を利用者が選択することができる。
【００１７】
この場合において、記憶部は、受付部により静止画像の抽出指令を受け付けた場合において、入力部への映像信号の入力が開始されてから所定の期間が経過した場合に、静止画像に関連付けられた設定項目の設定状態を記憶するようにしてもよい。このように構成すれば、利用者からの操作指令を受け付けた場合に、設定状態を記憶部に記録する場合に比べて、利用者の手間を省くことができる。
【発明の効果】
【００１８】
本発明によれば、識別データが入力されるか否かにかかわらず、入力されるコンテンツに応じて適した設定状態にすることが可能な表示装置を提供することができる。
【図面の簡単な説明】
【００１９】
【図１】本発明の一実施形態による液晶テレビの全体構成を示した図である。
【図２】図１の液晶テレビの全体構成を示したブロック図である。
【図３】図２のＲＯＭに記憶された静止画像および設定状態を説明するための図である。
【図４】図１の液晶テレビの設定状態の記録時の動作を説明するためのフローチャートである。
【図５】図１の液晶テレビに画像が表示された状態を示した図である。
【図６】図２のＲＯＭに記憶された静止画像および設定状態を説明するための図である。
【図７】図１の液晶テレビの設定状態の変更時の動作を説明するためのフローチャートである。
【図８】図１の液晶テレビに確認画面が表示された状態を示した図である。
【発明を実施するための形態】
【００２０】
以下、本発明の実施形態について、図面を参照しながら説明する。なお、以下の実施形態では、表示装置の一例である液晶テレビジョン受像機（以下、「液晶テレビ」という）に本発明を適用した場合について説明する。
【００２１】
まず、図１〜図３を参照して、本発明の一実施形態による液晶テレビ１００の構成について説明する。
【００２２】
本実施形態による液晶テレビ１００は、図１に示すように、テレビ本体１と、テレビ本体１を遠隔操作するリモコン２とを備えている。
【００２３】
テレビ本体１は、図２に示すように、チューナ１１と、信号処理部１２と、入力端子１３と、切替部１４と、映像処理部１５と、表示部１６と、受信部１７と、制御部１８とを含んでおり、これらはバス１ａを介して接続されている。
【００２４】
チューナ１１には、アンテナ１５１が接続されている。チューナ１１は、地上デジタル放送などのテレビジョン放送（コンテンツ）を受信するとともに、受信した放送信号を信号処理部１２に出力する。
【００２５】
信号処理部１２は、デコーダなどを含み、チューナ１１から入力された信号に対して所定の処理を施す。そして、信号処理部１２は、所定の処理が施された映像信号を切替部１４に出力する。なお、信号処理部１２は、映像信号とともに音声信号も出力するが、簡略化のため、音声信号についての説明は省略する。
【００２６】
入力端子１３は、たとえば、ＨＤＭＩ（High-Definition Multimedia Interface）端子である。入力端子１３には、ＤＶＤプレーヤ１５２が接続されており、ＤＶＤプレーヤ１５２により再生されるコンテンツの映像信号が入力される。そして、入力端子１３は、入力された映像信号を切替部１４に出力する。なお、入力端子１３には、映像信号とともに音声信号も入力されるが、簡略化のため、音声信号についての説明は省略する。また、入力端子１３は、本発明の「入力部」の一例である。
【００２７】
切替部１４は、映像処理部１５に入力される映像信号を切り替えるために設けられている。具体的には、切替部１４は、テレビ本体１が「テレビ表示」に設定されているときには、信号処理部１２から入力される映像信号を映像処理部１５に出力する。また、切替部１４は、テレビ本体１が「外部入力」に設定されているときには、入力端子１３から入力される映像信号を映像処理部１５に出力する。
【００２８】
映像処理部１５は、ＯＳＤ（On-Screen Display）回路やスケーリング回路などを含み、切替部１４から入力された映像信号に対して所定の処理を施す。そして、映像処理部１５は、所定の処理が施された映像信号を表示部１６に出力する。また、映像処理部１５は、切替部１４から入力された映像信号から静止画像を抽出する。なお、映像処理部１５は、本発明の「抽出部」の一例である。
【００２９】
表示部１６は、液晶パネル１６ａ（図１参照）やバックライト（図示省略）などを含み、映像処理部１５から入力される映像信号に基づいて映像を表示する。
【００３０】
受信部１７は、フォトダイオードなどを含み、リモコン２から出力されるリモコン信号を受信する。リモコン２は、利用者からの操作指令を受け付ける操作ボタン２ａ（図１参照）や、操作指令に応じてリモコン信号を発信する発信部（図示省略）などを有する。なお、リモコン２は、本発明の「受付部」の一例である。
【００３１】
制御部１８は、ＣＰＵ１８ａと、ＲＯＭ１８ｂと、ＲＡＭ１８ｃとを含んでおり、テレビ本体１の動作を制御する。なお、ＣＰＵ１８ａは、本発明の「判断部」および「変更部」の一例であり、ＲＯＭ１８ｂは、本発明の「記憶部」の一例である。
【００３２】
ＣＰＵ１８ａは、テレビ本体１の動作を制御するために、ＲＯＭ１８ｂに記憶されたプログラムの実行などを行う。なお、ＣＰＵ１８ａによる動作制御については、後で詳細に説明する。
【００３３】
ＲＯＭ１８ｂは、書き換え可能な不揮発性のメモリであり、たとえば、フラッシュメモリである。ＲＯＭ１８ｂは、テレビ本体１の動作を制御するためのプログラムや、各種設定項目の設定値などを記憶している。ここで、設定項目には、たとえば、「明るさ」、「コントラスト」および「音量」などが含まれている。
【００３４】
また、ＲＯＭ１８ｂは、図３に示すように、映像処理部１５により抽出された静止画像を記憶している。この静止画像は、同じコンテンツが次回入力された際に、コンテンツを識別するための画像である。また、ＲＯＭ１８ｂは、静止画像に関連付けられた設定項目の設定値（設定状態）も記憶している。
【００３５】
図３の例では、静止画像として「画像Ａ」および「画像Ｂ」がＲＯＭ１８ｂに記憶されている。また、「画像Ａ」については、設定項目「明るさ」の設定値が「＋５」と記憶され、設定項目「コントラスト」の設定値が「＋２」と記憶され、設定項目「音量」の設定値が「２０」と記憶されている。また、「画像Ｂ」については、設定項目「明るさ」の設定値が「±０」と記憶され、設定項目「コントラスト」の設定値が「±０」と記憶され、設定項目「音量」の設定値が「２５」と記憶されている。なお、図３では、簡略化のため、設定項目として、「明るさ」、「コントラスト」、および「音量」のみを示したが、実際には、「カラー」などのその他の設定項目も含まれている。
【００３６】
ＲＡＭ１８ｃは、たとえば、ＤＲＡＭであり、プログラムが実行される際のデータなどを一時的に記憶する。
【００３７】
次に、図１〜図６を参照して、本実施形態による液晶テレビ１００の設定状態の記録時の動作について説明する。なお、以下の動作は、所定のコンテンツの初回再生時に行われる場合が多い。また、このフローチャートの各ステップは、ＣＰＵ１８ａ（図２参照）により実行される。
【００３８】
まず、液晶テレビ１００（図２参照）では、図４のステップＳ１において、ＤＶＤプレーヤ１５２（図２参照）により再生されるコンテンツの映像信号が入力端子１３（図２参照）に入力されたか否かが判断される。そして、入力端子１３にコンテンツの映像信号が入力されていないと判断された場合には、ステップＳ１が繰り返し行われる。すなわち、液晶テレビ１００は、入力端子１３にコンテンツの映像信号が入力されるまで待機する。
【００３９】
そして、入力端子１３にコンテンツの映像信号が入力されたと判断された場合には、テレビ本体１（図２参照）が「外部入力」に設定され、ステップＳ２に移る。具体的には、切替部１４（図２参照）により、入力端子１３に入力されるコンテンツの映像信号が映像処理部１５（図２参照）に出力される。
【００４０】
次に、ステップＳ２において、映像処理部１５からコンテンツの映像信号が表示部１６（図２参照）に出力されることにより、コンテンツの映像が表示部１６に表示される。
【００４１】
次に、ステップＳ３において、リモコン２（図１参照）により、利用者からの静止画像の抽出指令を受け付けたか否かが判断される。具体的には、受信部１７（図１参照）により、リモコン２から出力される抽出指令を示すリモコン信号を受信したか否かが判断される。そして、静止画像の抽出指令を受け付けていないと判断された場合には、ステップＳ３が繰り返し行われる。その一方、静止画像の抽出指令を受け付けたと判断された場合には、ステップＳ４に移る。
【００４２】
次に、ステップＳ４において、映像処理部１５により、コンテンツの映像信号から静止画像が抽出される。そして、抽出された静止画像がＲＯＭ１８ｂ（図２参照）に記録される。たとえば、図５に示すように、表示部１６に画像Ｃが表示されているときに、ステップＳ３において抽出指令を受け付けた場合には、ＲＯＭ１８ｂには、図６に示すように、画像Ｃが記録される。
【００４３】
次に、ステップＳ５において、ＣＰＵ１８ａにより、コンテンツ（映像信号）の入力が開始されてから所定の期間（たとえば、５分）が経過したか否かが判断される。そして、所定の期間が経過していないと判断された場合には、ステップＳ５が繰り返し行われる。その一方、所定の期間が経過したと判断された場合には、ステップＳ６に移る。ここで、所定の期間が経過するまでに、利用者により、入力されるコンテンツを視聴する際の設定項目の設定状態が調整されている場合が多い。
【００４４】
次に、ステップＳ６において、現在の設定状態が抽出された静止画像と関連付けられた状態でＲＯＭ１８ｂに記録される。たとえば、設定項目「明るさ」の設定値が「−３」に設定され、設定項目「コントラスト」の設定値が「−３」に設定され、設定項目「音量」の設定値が「１４」に設定されているときに、所定の期間が経過した場合には、図６に示すように、その設定状態が画像Ｃと関連付けられた状態でＲＯＭ１８ｂに記録される。
【００４５】
以上により、液晶テレビ１００の設定状態の記録時の動作が終了する。
【００４６】
次に、図２および図５〜図７を参照して、本実施形態による液晶テレビ１００の設定状態の変更時の動作について説明する。なお、以下の動作は、所定のコンテンツの２回目以降の再生時に行われる。また、このフローチャートの各ステップは、ＣＰＵ１８ａ（図２参照）により実行される。
【００４７】
まず、液晶テレビ１００（図２参照）では、図７のステップＳ１１において、ＤＶＤプレーヤ１５２（図２参照）により再生されるコンテンツの映像信号が入力端子１３（図２参照）に入力されたか否かが判断される。そして、入力端子１３にコンテンツの映像信号が入力されていないと判断された場合には、ステップＳ１１が繰り返し行われる。すなわち、液晶テレビ１００は、入力端子１３にコンテンツの映像信号が入力されるまで待機する。
【００４８】
そして、入力端子１３にコンテンツの映像信号が入力されたと判断された場合には、テレビ本体１（図２参照）が「外部入力」に設定され、ステップＳ１２に移る。具体的には、切替部１４（図２参照）により、入力端子１３に入力されるコンテンツの映像信号が映像処理部１５（図２参照）に出力される。
【００４９】
次に、ステップＳ１２において、映像処理部１５からコンテンツの映像信号が表示部１６（図２参照）に出力されることにより、コンテンツの映像が表示部１６に表示される。
【００５０】
次に、ステップＳ１３において、映像処理部１５により、表示部１６に出力される映像信号の画像が検出（サンプリング）される。
【００５１】
次に、ステップＳ１４において、ＣＰＵ１８ａにより、検出された映像信号の画像と、ＲＯＭ１８ｂに記憶された静止画像とが一致するか否かが判断される。そして、映像信号の画像と静止画像とが一致しないと判断された場合には、ステップＳ１５に移る。その一方、映像信号の画像と静止画像とが一致すると判断された場合には、ステップＳ１６に移る。たとえば、ステップＳ１３において図５に示すような画像Ｃが検出された場合において、図６に示すように、ＲＯＭ１８ｂに「画像Ｃ」が記憶されている場合には、映像信号の画像と静止画像とが一致すると判断され、ステップＳ１６に移る。
【００５２】
次に、ステップＳ１５において、ＣＰＵ１８ａにより、コンテンツ（映像信号）の入力が開始されてから所定の期間（たとえば、５分）が経過したか否かが判断される。そして、所定の期間が経過していないと判断された場合には、ステップＳ１３に戻る。その一方、所定の期間が経過したと判断された場合には、ステップＳ１７に移る。すなわち、映像信号の画像と静止画像とが一致するか（ステップＳ１４：Yes）、所定の期間が経過するまで（ステップＳ１５：Yes）、映像処理部１５に入力される映像信号の画像が順次検出され（ステップＳ１３）、検出された画像と静止画像とが一致するか否かが判断される（ステップＳ１４）。
【００５３】
そして、映像信号の画像と静止画像とが一致すると判断された場合には（ステップＳ１４：Yes）、ステップＳ１６において、ＣＰＵ１８ａにより、一致すると判断された静止画像に関連付けられた設定状態に設定項目が変更され、その後、ステップＳ１７に移る。たとえば、図５に示すような画像Ｃが検出され（ステップＳ１３）、図６に示すように、ＲＯＭ１８ｂに「画像Ｃ」が記憶されている場合には（ステップＳ１４：Yes）、「画像Ｃ」に関連付けられた設定状態に変更される。すなわち、設定項目「明るさ」の設定値が「−３」に変更され、設定項目「コントラスト」の設定値が「−３」に変更され、設定項目「音量」の設定値が「１４」に変更される。
【００５４】
次に、ステップＳ１７において、映像処理部１５による映像信号の画像の検出が終了する。以上により、液晶テレビ１００の設定状態の変更時の動作が終了する。
【００５５】
本実施形態では、上記のように、ＤＶＤプレーヤ１５２により再生されるコンテンツが入力される場合に、利用者からの抽出指令を受け付けた場合に（図４のステップＳ３：Yes）、入力されるコンテンツを識別するための静止画像を映像信号から抽出してＲＯＭ１８ｂに記録し（ステップＳ４）、所定の期間の経過後（ステップＳ５：Yes）、静止画像に関連付けられた設定状態をＲＯＭ１８ｂに記録する（ステップＳ６）。そして、同じコンテンツが次回入力された場合において、入力されるコンテンツの映像信号の画像と、ＲＯＭ１８ｂに記憶された静止画像とが一致した場合には（図７のステップＳ１４：Yes）、その静止画像に関連付けられた設定状態に変更される（ステップＳ１６）ので、入力されるコンテンツに応じて適した設定状態にすることができる。したがって、本実施形態では、静止画像に基づいて入力されるコンテンツを識別することができるので、識別データが入力されるか否かにかかわらず、入力されるコンテンツに応じて適した設定状態にすることができる。これにより、利用者が設定項目を変更する手間を省くことができる。
【００５６】
また、本実施形態では、所定の期間が経過した場合に（図７のステップＳ１５：Yes）、画像の検出を終了する（ステップＳ１７）ことによって、ＤＶＤプレーヤ１５２により再生されるコンテンツの入力が停止されるまで、検出された映像信号の画像と、ＲＯＭ１８ｂに記憶された静止画像とが一致するか否かを判断する場合に比べて、ＣＰＵ１８ａの処理量を減らすことができる。
【００５７】
また、本実施形態では、利用者からの抽出指令を受け付けた場合に（図４のステップＳ３：Yes）、静止画像が抽出される（ステップＳ４）ことによって、コンテンツを識別するための静止画像を利用者が選択することができる。したがって、所定のコンテンツに特有の画像を静止画像として抽出することにより、所定のコンテンツが入力された場合には、所定のコンテンツに応じて適した設定状態にすることができる。また、複数のコンテンツに共通する画像を静止画像として抽出することにより、ＲＯＭ１８ｂに記録された設定状態を複数のコンテンツで共用することもできる。
【００５８】
また、本実施形態では、利用者からの抽出指令を受け付けた後に（図４のステップＳ３：Yes）、所定の期間が経過した場合に（ステップＳ５：Yes）、設定状態をＲＯＭ１８ｂに記録する（ステップＳ６）ことによって、利用者からの操作指令を受け付けた場合に、設定状態をＲＯＭ１８ｂに記録する場合に比べて、利用者の手間を省くことができる。
【００５９】
本発明は、上述した以外にも種々の実施形態を採用することができる。たとえば、上記実施形態では、表示装置の一例である液晶テレビ１００に本発明を適用する例を示したが、これに限らず、プラズマディスプレイなどのその他の表示装置に本発明を適用してもよい。
【００６０】
また、上記実施形態では、本発明の記憶部の一例としてＲＯＭ１８ｂを示したが、これに限らず、本発明の記憶部として、たとえば、ハードディスク（図示省略）が設けられていてもよい。
【００６１】
また、上記実施形態では、利用者からの抽出指令を受け付けた場合に（図４のステップＳ３：Yes）、静止画像が抽出される（ステップＳ４）例を示したが、これに限らず、たとえば、利用者からの抽出指令を受け付けたか否かにかかわらず、複数の静止画像を所定の時間間隔毎に抽出し、その複数の静止画像の中から利用者に１つの静止画像を選択させるようにしてもよい。
【００６２】
また、上記実施形態では、所定の期間が経過した場合に（図４のステップＳ５：Yes）、設定状態を記録する（ステップＳ６）例を示したが、これに限らず、利用者からの操作指令を受け付けた場合に、設定状態を記録するようにしてもよい。また、ＤＶＤプレーヤ１５２により再生されるコンテンツの入力が停止された場合に、設定状態を記録するようにしてもよい。この場合において、図８に示すような確認画面Ｗを表示部１６に表示するようにしてもよい。また、確認画面Ｗにおいて、設定状態を利用者が変更可能なようにしてもよい。
【００６３】
また、上記実施形態では、所定の期間が経過した場合に（図７のステップＳ１５：Yes）、画像の検出を終了する（ステップＳ１７）例を示したが、これに限らず、ＤＶＤプレーヤ１５２により再生されるコンテンツの入力が停止されるまで、検出された画像と静止画像とが一致するか否かを判断するようにしてもよい。
【００６４】
また、上記実施形態では、入力端子１３がＨＤＭＩ端子である例を示したが、これに限らず、たとえば、入力端子１３がコンポジット端子であってもよい。
【００６５】
また、上記実施形態では、コンテンツの表示が開始された場合に（図７のステップＳ１２）、映像信号の画像を検出し（ステップＳ１３）、検出された画像と静止画像とが一致するか否かを判断する（ステップＳ１４）例を示したが、これに限らず、コンテンツの表示が開始された場合に、映像信号の画像を検出するか否かを利用者が予め設定可能なように構成されていてもよい。すなわち、図７のステップＳ１３〜Ｓ１７を実行するか否かを利用者が予め設定可能なように構成されていてもよい。
【００６６】
また、上記実施形態では、入力端子１３に入力されるコンテンツに応じて適した設定状態にする例を示したが、これに限らず、チューナ１１により受信したコンテンツに応じて適した設定状態にするようにしてもよい。すなわち、本発明の入力部として入力端子１３を示したが、これに限らず、本発明の入力部としてチューナ１１が用いられてもよい。
【００６７】
また、上記実施形態では、図４のステップＳ５の所定の期間（５分）と、図７のステップＳ１５の所定の期間（５分）とが同じである例を示したが、これに限らず、図４のステップＳ５の所定の期間と、図７のステップＳ１５の所定の期間とが異なっていてもよい。
【符号の説明】
【００６８】
２        リモコン（受付部）
１１      チューナ（入力部）
１３      入力端子（入力部）
１５      映像処理部（抽出部）
１６      表示部
１８ａ    ＣＰＵ（判断部、変更部）
１８ｂ    ＲＯＭ（記憶部）
１００    液晶テレビ（表示装置）
【図１】
2011013557.tif 000003
【図２】
2011013557.tif 000004
【図３】
2011013557.tif 000005
【図４】
2011013557.tif 000006
【図５】
2011013557.tif 000007
【図６】
2011013557.tif 000008
【図７】
2011013557.tif 000009
【図８】
2011013557.tif 000010